(57)【要約】【課題】選択したコンテンツが３次元立体映像信号を収録したコンテンツである場合に、その映像フォーマットの解像度がオリジナル解像度より低いものであっても、大きな画質の劣化を発生させることなく視聴できる映像表示装置を提供する。【解決手段】本発明の映像表示装置は、選択したコンテンツに収録された映像信号が解像度の低い３次元立体映像方式であるか否かを判別する信号判別部と、映像信号が解像度の低い３次元立体映像方式であると判別された場合に、コンテンツ内容特定情報を取得するコンテンツ情報取得部と、コンテンツ内容特定情報と３次元立体映像方式に基づいて、コンテンツと同内容でコンテンツの解像度よりも高い解像度で収録された別コンテンツを検索するコンテンツ情報検索部と、別コンテンツを発見した場合に、コンテンツを別コンテンツへ切り換えて表示部に出力するコンテンツ選択部と、を具備する。【選択図】図１
2013026653.tif 000002
【特許請求の範囲】
【請求項１】
選択したコンテンツに収録された映像信号が解像度の低い３次元立体映像方式であるか否かを判別する信号判別部と、
前記信号判別部において前記映像信号が解像度の低い３次元立体映像方式であると判別された場合に、前記コンテンツの内容を特定するためのコンテンツ内容特定情報を取得するコンテンツ情報取得部と、
前記コンテンツ内容特定情報と前記３次元立体映像方式に基づいて、前記コンテンツと同内容で前記コンテンツの解像度よりも高い解像度で収録された別コンテンツを検索するコンテンツ情報検索部と、
前記コンテンツ情報検索部において前記別コンテンツを発見した場合に、前記コンテンツを前記別コンテンツへ切り換えて表示部に出力するコンテンツ選択部と、を具備することを特徴とする映像表示装置。
【請求項２】
前記コンテンツ情報検索部は、前記コンテンツ内容特定情報、前記３次元立体映像方式及び前記表示部のディスプレイパネルの解像度に基づいて、前記コンテンツと同内容で前記ディスプレイパネルの解像度と一致または高い解像度の２次元映像で収録された別コンテンツを検索する、ことを特徴とする請求項１記載の映像表示装置。
【請求項３】
前記コンテンツ情報検索部は、前記コンテンツ内容特定情報、前記３次元立体映像方式、前記表示部で表示な可能な３次元立体映像方式及び前記表示部のディスプレイパネルの解像度に基づいて、前記コンテンツと同内容で前記ディスプレイパネルの解像度と一致または高い解像度で前記表示部が表示可能な３次元立体映像方式で収録されたコンテンツを検索する、ことを特徴とする請求項１記載の映像表示装置。
【請求項４】
前記信号判別部は、前記コンテンツにあらかじめ付加されたコンテンツ情報、または前記コンテンツに収録された映像信号を解析することにより前記３次元立体映像方式を判別することを特徴とする請求項１記載の映像表示装置。
【請求項５】
複数のコンテンツを含んだストリームからコンテンツ情報群を取得するパケット解析部と、前記コンテンツ情報群を蓄積するコンテンツ情報蓄積部と、を更に備え、
前記コンテンツ情報検索部は、前記コンテンツ情報蓄積部に蓄積された前記コンテンツ情報群を検索する、ことを特徴とする請求項１記載の映像表示装置。
【請求項６】
ネットワークに接続するネットワークＩ／Ｆ部と、を更に備え、
前記コンテンツ情報検索部は、インターネット上またはローカルネットワーク上のサーバに存在するコンテンツ群のコンテンツ情報をデータベース化したコンテンツ情報群を検索する、ことを特徴とする請求項１記載の映像表示装置。
【請求項７】
外部ストレージメディアに接続するシリアルＩ／Ｆ部と、を更に備え、
前記コンテンツ情報検索部は、前記外部ストレージメディアに存在するコンテンツ群のコンテンツ情報をデータベース化したコンテンツ情報群を検索する、ことを特徴とする請求項１記載の映像表示装置。
【請求項８】
外部映像再生装置との通信が可能なビデオＩ／Ｆ部と、を更に備え、
前記コンテンツ情報検索部は、前記外部映像再生装置の有するコンテンツ群のコンテンツ情報群を検索する、ことを特徴とする請求項１記載の映像表示装置。
【請求項９】
選択したコンテンツに収録された映像信号が解像度の低い３次元立体映像方式であるか否かを判別するステップと、
前記映像信号が解像度の低い３次元立体映像方式であると判別された場合に、前記コンテンツの内容を特定するためのコンテンツ内容特定情報を取得するステップと、
前記コンテンツ内容特定情報と前記３次元立体映像方式に基づいて、前記コンテンツと同内容で前記コンテンツの解像度よりも高い解像度で収録された別コンテンツを検索するステップと、
前記別コンテンツを発見した場合に、前記コンテンツを前記別コンテンツへ切り換えて表示させるステップと、
を有することを特徴とする映像表示方法。
【発明の詳細な説明】
【技術分野】
【０００１】
本発明は、映像表示装置及び映像表示方法に関し、特に、３次元立体映像コンテンツを表示することが可能な映像表示装置及び映像表示方法に関する。
【背景技術】
【０００２】
近年、ディスプレイパネルの高精細化が急速に進み、１９２０×１０８０の画素数をもつフルＨＤパネルを有したデジタルテレビが一般家庭に普及し、さらには４ｋ２ｋと呼ばれる４０００×２０００以上の画素数をもつパネルの開発が進められている。このようなパネルの高精細化と同時に高解像度カメラによりコンテンツの解像度も高精細化が進み、コンテンツをオリジナル解像度で視聴する環境が整ってきている。
【０００３】
一方、３次元立体映像信号を表示可能なデジタルテレビに代表される映像表示装置が発売されており、これまでネックとなっていた３次元立体映像信号を収録したコンテンツも、Ｂｌｕ−ｒａｙ（登録商標）での規格化やＢＳデジタル放送やＣＳデジタル放送での放送開始により徐々に増加してきており、これまで映画館でしか体験できなかった迫力ある映像が家庭でも視聴可能な環境が整いつつある。
【０００４】
３次元立体映像信号を表示する技術には、偏光フィルタや液晶シャッターを利用した眼鏡を用いる方式と、レンティキュラー方式やパララックスバリア方式等の裸眼方式の大きく２つが挙げられる。後者は現状では視野角や解像度の課題があり、大画面でコンテンツを楽しむテレビのような用途には前者が適していると考えられ、現在発売されている３次元立体映像信号が表示可能な映像表示装置もほとんどが前者を採用しており、今後は前者の方式が主流になると予想される。
【０００５】
３次元立体映像信号には現在さまざまな方式が存在している。フレームパッキング方式は、１垂直走査期間中に左目用の映像１フレームと右目用の映像１フレームを垂直方向に順番に収める方式である。インタレースの場合は垂直周波数を１／２にして２垂直走査期間内に左目用映像の奇数フィールド、右目用映像の奇数フィールド、左目用映像の偶数フィールド、右目用映像の偶数フィールドが順番に収められる。フレームオルタナティブ方式は、垂直周波数を２倍にして１／２垂直走査期間中に映像１フレームを収めて、左目用映像と右目用映像を交互に送る方式である。インタレースの場合は１／２垂直走査期間中に映像１フィールドを収めて、左目用映像の奇数フィールド、右目用映像の奇数フィールド、左目用映像の偶数フィールド、右目用映像の偶数フィールドを順番に送る。ラインオルタナティブ方式は、１垂直走査期間中に左目用の映像１フレームの１ラインと右目用の映像１フレームの１ラインを垂直方向に交互に収める方式である。サイドバイサイド方式は、１垂直走査期間中に左目用の映像１フレームの１ラインと右目用映像１フレームの１ラインを水平方向に順番に収める方式である。インタレースの場合は左目用映像の１フィールドの１ラインと右目用映像の１フィールドの１ラインを水平方向に順番に収めて奇数フィールドと偶数フィールドを交互に送る。
【０００６】
これらの方式は、ドットクロック周波数を２倍にすることによりオリジナルの解像度を落とすことなくコンテンツを作成することが可能であるが、２次元映像信号で利用される映像フォーマットとの互換性が失われる課題がある。
【０００７】
ラインオルタナティブ方式やサイドバイサイド方式は垂直方向または水平方向に画素の間引きを行うことで上記の課題を解決できる。これらは以降、ラインオルタナティブ  ハーフ方式、サイドバイサイド  ハーフ方式と記載する。
【０００８】
一方、元から２次元映像信号で利用される映像フォーマットとの互換性を考慮した方式もある。トップアンドボトム方式は、１垂直走査期間中に左目用の映像の１フレームの垂直解像度を１／２に間引いたものと右目用の映像の１フレームの垂直解像度を１／２に間引いたものを垂直方向に順番に納める方式である。垂直インタリーブ方式は、１垂直走査期間中に左目用の映像の１フレームの水平解像度を１／２に間引いたものの１ドットと右目用の映像の１フレームの水平解像度を１／２に間引いたものの１ドットを水平方向に順番に収める方式である。チェッカボード方式は、垂直インタリーブ方式において１ライン毎に左目用映像と右目用映像の順序を入れ替える方式である。
【０００９】
これらの方式は２次元映像信号で利用される映像フォーマットとの互換性がある反面、解像度を落とす必要があるという課題がある。
【００１０】
こういった背景の中、３次元立体映像信号を表示可能な映像表示装置と２次元映像信号しか表示することができない映像表示装置が市場に混在し、視聴者の視聴環境の選択の幅が広がるに伴い、コンテンツの映像フォーマットの選択の幅が広がることが予測される。現在においてもすでに同じ内容のコンテンツの低解像度のものと高解像度のものがＤＶＤとＢｌｕ−ｒａｙ（登録商標）で提供されていたり、サイマル放送によって別のチャンネルで提供されるということが行われており、今後、コンテンツの製作者は、あらかじめ高解像度カメラで３次元立体映像信号と２次元映像信号を同時に撮影し、さまざまな映像フォーマットならびに３次元立体映像方式に変換した同じ内容のコンテンツを同時に提供することが考えられる。
【００１１】
しかしながら、視聴者が自分の視聴環境、例えば、映像表示装置のディスプレイパネルの解像度や対応する３次元立体映像方式などを把握し、自ら最適なコンテンツを選ぶことは専門的な知識を有する必要があり、非常に困難である。こうした煩雑さを解消するために、特許文献１や特許文献２において、映像表示装置自身がコンテンツの情報を読み取り、自ら最適な映像フォーマットならびに３次元立体映像方式に変換を行う方法が開示されている。また、特許文献３や特許文献４では、外部映像再生装置が接続された映像表示装置の情報を読み取り、映像表示装置に最適な映像フォーマットならびに３次元立体映像方式に変換を行う方法が開示されている。
【先行技術文献】
【特許文献】
【００１２】
【特許文献１】特開２００６−３５２８７６号公報
【特許文献２】特開２０１０−０６８３０９号公報
【特許文献３】特開２００６−０３３８５１号公報
【特許文献４】特開２０１０−０３４７０４号公報
【発明の概要】
【発明が解決しようとする課題】
【００１３】
しかしながら、特許文献１乃至特許文献４のようにコンテンツの映像フォーマットならびに３次元立体映像方式を変換する方法では、コンテンツの映像フォーマットの解像度がオリジナル解像度よりも低い場合には高精細なディスプレイパネルにあわせて補間処理を行うこととなる。コンテンツに収録された３次元立体映像信号の３次元立体映像方式がラインオルタナティブ  ハーフ方式、トップアンドボトム方式の場合は、垂直の解像度がオリジナル解像度の半分であり、サイドバイサイド  ハーフ方式、垂直インタリーブ方式、チェッカボード方式の場合は、水平の解像度がオリジナル解像度の半分であるため補間処理を行ったとしても画質の劣化が発生するという課題がある。これは、特に２次元映像信号しか表示することができない映像表示装置で視聴する視聴者が誤って３次元立体映像信号を収録したコンテンツを選択した場合にはデメリットでしかない。
【００１４】
本発明は、このような課題を解決したものであって、視聴者の選択したコンテンツが３次元立体映像信号を収録したコンテンツである場合に、その映像フォーマットの解像度がオリジナル解像度より低いものであっても、大きな画質の劣化を発生させることなく視聴することを可能とする映像表示装置及び映像表示方法を提供することを目的とする。
【課題を解決するための手段】
【００１５】
本発明の映像表示装置は、選択したコンテンツに収録された映像信号が解像度の低い３次元立体映像方式であるか否かを判別する信号判別部と、信号判別部において映像信号が解像度の低い３次元立体映像方式であると判別された場合に、コンテンツの内容を特定するためのコンテンツ内容特定情報を取得するコンテンツ情報取得部と、取得されたコンテンツ内容特定情報と３次元立体映像方式に基づいて、選択したコンテンツと同内容でコンテンツの解像度よりも高い解像度で収録された別コンテンツを検索するコンテンツ情報検索部と、コンテンツ情報検索部で別コンテンツを発見した場合に、選択したコンテンツを別コンテンツへ切り換えるコンテンツ選択部を有することを特徴とする。
【発明の効果】
【００１６】
本発明によれば、信号判別部で３次元立体映像方式の判定を行い、解像度が低い３次元立体映像方式と判別された場合に、コンテンツ情報取得部で取得されたコンテンツ内容特定情報と３次元立体映像方式に基づいて、コンテンツ情報検索部で同じ内容で解像度が高い別のコンテンツを検索し、発見されたコンテンツをコンテンツ選択部で選択して切り替えることで、大きく画質を劣化させることなく映像を表示することができる。
【図面の簡単な説明】
【００１７】
【図１】本発明の実施の形態１に係る映像表示装置の構成を示すブロック図
【図２】本発明の実施の形態１に係る映像表示装置の処理概要を示すフローチャート
【発明を実施するための形態】
【００１８】
以下、本発明を実施するための形態について、図面を参照しながら説明する。
【００１９】
（実施の形態１）
図１は、本発明の実施の形態１に係る映像表示装置の構成を示すブロック図である。図１に示すように、映像表示装置１００は、チューナー部１１０、復調部１１１、ストリーム切換部１１２、多重分離部１１３、デコーダ部１１４、入力切換部１１５、表示部１１６、パケット解析部１１７、コンテンツ情報蓄積部１１８、信号判別部１２０、コンテンツ情報取得部１２１、コンテンツ情報検索部１２２、コンテンツ選択部１２３、シリアルＩ／Ｆ部１３０、ビデオＩ／Ｆ部１３１、ネットワークＩ／Ｆ部１３２で構成されている。
【００２０】
図２は、本発明の実施の形態１に係る映像表示装置１００の処理概要を示すフローチャートである。映像表示装置１００は、信号判別部１２０において、選択したコンテンツに収録された映像信号が解像度の低い３次元立体映像方式であるか否かを判別し（ステップＳ２０１）、映像信号が解像度の低い３次元立体映像方式であると判別された場合（ステップＳ２０１で「Ｙｅｓ」）、信号判別部１２０はコンテンツ情報取得部１２１にコンテンツの内容を特定するためのコンテンツ内容特定情報を取得させる（ステップＳ２０２）。コンテンツ情報取得部１２１は、コンテンツ内容特定情報を取得した後で、コンテンツ情報検索部１２２に選択したコンテンツと同内容で選択したコンテンツの解像度よりも高い解像度で収録された別コンテンツを検索させる（ステップＳ２０３）。そして、コンテンツ情報検索部１２２が別コンテンツを発見した場合は（ステップＳ２０３で「Ｙｅｓ」）、コンテンツ選択部１２３に選択しているコンテンツを別コンテンツへ切り換えて表示させる（ステップＳ２０４）。以降、図２に示すフローチャートをどのように映像表示装置１００で実現しているかを、図１の構成要素の詳細説明を行いながら説明する。
【００２１】
チューナー部１１０は、選択されたチャンネルの放送波を受信し、変調波を復調部１１１へ出力する。復調部１１１は、入力された変調波に復調処理及び誤り訂正処理を施した後で、ＭＰＥＧ−２トランスポートストリームを抽出して出力する。抽出されたＭＰＥＧ−２トランスポートストリームは、ストリーム切換部１１２を経由して多重分離部１１３へ入力される。多重分離部１１３は、入力されたＭＰＥＧ−２トランスポートストリームを映像／音声のパケットとその他のパケットに分離し、映像／音声のパケットをデコーダ部１１４へ出力し、その他のパケットをパケット解析部１１７へ出力する。
【００２２】
ここで、３次元立体映像方式の判別方法について説明する。日本のデジタル放送では、３次元立体映像方式を判別するための識別子として、映像符号化方式がＭＰＥＧ−２の場合は、ＭＰＥＧ−２  ｖｉｄｅｏで定義されるｖｉｄｅｏ＿ｓｅｑｕｅｎｃｅ内ピクチャレイヤにてｕｓｅｒ＿ｄａｔａ内に３次元立体映像方式を示すｓｔｅｒｅｏ＿ｖｉｄｅｏ＿Ｆｏｒｍａｔ＿Ｓｉｇｎａｌｉｎｇを規定し、運用が予定されている。映像符号化方式がＭＰＥＧ−４  ＡＶＣの場合は、アクセスユニットにおいてＦｒａｍｅ  Ｐａｃｋｉｎｇ  Ａｒｒａｎｇｅｍｅｎｔ  ＳＥＩ内に３次元立体映像方式を示すパラメータｆｒａｍｅ＿ｐａｃｋｉｎｇ＿ａｒｒａｎｇｅｍｅｎｔ＿ｔｙｐｅにて運用が予定されている。
【００２３】
デコーダ部１１４は、入力された映像のパケットからこれらの３次元立体映像方式を示すパラメータに加えて、水平解像度、垂直解像度、フレームレート、走査方式を抽出して信号判別部１２０へ出力するとともに、デコードした映像信号を同期信号とともに入力切換部１１５へ出力する。なお、水平解像度、垂直解像度、フレームレート、走査方式は、パケット解析部１１７が多重分離部１１３から入力されたパケットから自トランスポートストリームのＥＩＴのコンポーネント記述子を抽出し、取得した映像フォーマットの水平解像度、垂直解像度、フレームレート、走査方式を信号判別部１２０へ出力してもよい。また、日本のデジタル放送の運用では、ＥＩＴには３次元立体映像信号かどうかの情報のみで３次元立体映像方式は記述されていないが、今後記述されるように規定されれば、ＥＩＴから３次元立体映像方式を取得するようにしてもよい。
【００２４】
信号判別部１２０は、入力された水平解像度、垂直解像度、フレームレート、走査方式と３次元立体映像方式から解像度の低い３次元立体映像方式であるラインオルタナティブ  ハーフ方式、トップアンドボトム方式、サイドバイサイド  ハーフ方式、垂直インタリーブ方式、チェッカボード方式かどうかを判定する。具体的には、サイドバイサイド方式と判定された場合は、更に、垂直解像度から２次元映像信号で利用される映像フォーマットを推定し、２次元映像信号で利用される映像フォーマットの水平解像度と一致すればサイドバイサイド  ハーフ方式と判定し、２倍の水平解像度であればサイドバイサイド方式と判定する。つまり、垂直解像度が２４０または４８０であれば水平解像度が７２０か１４４０か、垂直解像度が５４０または１０８０であれば水平解像度が１９２０か３８４０か、垂直解像度が７２０であれば水平解像度が１２８０か２５６０かによってサイドバイサイド  ハーフ方式かサイドバイサイド方式かを判定する。また、ラインオルタナティブ方式と判定された場合は、更に、水平解像度から２次元映像信号で利用される映像フォーマットを推定し、２次元映像信号で利用される映像フォーマットの垂直解像度と一致すればラインオルタナティブ  ハーフ方式と判定し、２倍の垂直解像度であればラインオルタナティブ方式と判定する。つまり、水平解像度が７２０であれば垂直解像度が４８０か９６０か、水平解像度が１９２０であれば垂直解像度が１０８０か２１６０か、水平解像度が１２８０であれば垂直解像度が７２０か１４４０かによってラインオルタナティブ  ハーフ方式かラインオルタナティブ方式かを判定する。トップアンドボトム方式、垂直インタリーブ方式、チェッカボード方式については３次元立体映像方式からそのまま判定する。なお、これらは一例であって、コンテンツの符号化方式や解像度を限定するものではない。
【００２５】
次に、パケット内に３次元立体映像方式を示すパラメータがない場合、デコードされた映像信号から３次元立体映像方式を判定する方法について説明する。デコーダ部１１４から入力切換部１１５へ入力している映像信号は、入力切換部１１５の入力指定をデコーダ部１１４からの入力にすることで表示部１１６へ出力される。表示部１１６は、入力された映像信号がインタレース信号であった場合のＩ／Ｐ変換やディスプレイパネルの解像度にあわせたフォーマット変換を行い、ディスプレイパネルに表示を行う。ここで、Ｉ／Ｐ変換後の映像信号を信号判別部１２０へ入力する。信号判別部１２０は、デコーダ部１１４から入力された水平解像度と垂直解像度が２次元映像信号で利用される映像フォーマットと一致するか判定し、一致する場合は、まずサイドバイサイド方式かどうかを判定するために、表示部１１６から入力された映像信号の１フレームを左右に分割した２枚の映像を作成し類似度を判定する。類似していると判定された場合は、サイドバイサイド  ハーフ方式と判定する。類似していないと判定された場合は、映像信号の１フレームの奇数ラインから生成した映像と偶数ラインから生成した映像の類似度を判定する。類似していると判定された場合は、ラインオルタナティブ  ハーフ方式と判定する。類似していないと判定された場合は、映像信号の１フレームの奇数ドットから生成した映像と偶数ドットから生成した映像の類似度を判定する。類似していると判定された場合は、垂直インタリーブ方式と判定する。類似していないと判定された場合は、映像信号の１フレームを上下に分割した２枚の映像を作成し類似度を判定する。類似していると判定された場合はトップアンドボトム方式と判定する。類似していないと判定された場合は、映像信号の１フレームの奇数ラインの奇数ドットと偶数ラインの偶数ドットから生成した映像と奇数ラインの偶数ドットと偶数ラインの奇数ドットから生成した映像の類似度を判定し、類似していると判定された場合はチェッカボード方式と判定する。
【００２６】
信号判別部１２０において、解像度の低い３次元立体映像方式と判別されると、信号判別部１２０はコンテンツ情報取得部１２１に対し、コンテンツ情報取得要求を行う。コンテンツ情報取得部１２１は、パケット解析部１１７から自トランスポートストリームの現在の番組のＥＩＴの短形式イベント記述子を取得し、視聴者が選局しているチャンネルで放送され視聴者が選択しているコンテンツの内容を特定するための情報（コンテンツ内容特定情報）を取得する。コンテンツ内容特定情報として、ここでは番組名や映画のタイトル名を想定しているが、ジャンルやあらすじ、出演者といった情報も合わせて取得してもよい。また、コンテンツ情報取得部１２１は、ネットワークＩ／Ｆ部１３２にも接続されており、視聴者が選局しているチャンネルで放送されている、視聴者が選択しているコンテンツの内容を特定するための情報をインターネット上またはローカルネットワーク上のサーバのデータベースに存在する番組表などのコンテンツ情報群から取得するようにしてもよいし、あらかじめ視聴者が映像表示装置１００を使用していない間に自トランスポートストリームの８日以内の番組のＥＩＴの短形式イベント記述子と他トランスポートストリームの８日以内の番組のＥＩＴの短形式イベント記述子からパケット解析部１１７が抽出したコンテンツ情報群をコンテンツ情報蓄積部１１８に蓄積しておき、コンテンツ情報取得部１２１がコンテンツ情報蓄積部１１８から取得するようにしてもよい。
【００２７】
コンテンツ情報取得部１２１は、取得したコンテンツ内容特定情報をコンテンツ情報検索部１２２へ入力する。コンテンツ情報検索部１２２は、入力されたコンテンツ内容特定情報と同じ情報を自トランスポートストリームにおいて現在放送中の他の番組のＥＩＴの短形式イベント記述子を抽出した中から検索する。入力されたコンテンツ内容特定情報と一致する情報または類似する情報が発見されれば、そのＥＩＴのコンポーネント記述子から抽出した映像フォーマットの水平解像度、垂直解像度、フレームレート、走査方式と現在選択しているコンテンツの水平解像度、垂直解像度、フレームレート、走査方式とを比較して、一致する、もしくは高いかどうか判定する。一致、もしくは高いと判定されれば、そのＥＩＴのコンテント記述子から３次元立体映像信号かどうかの情報を抽出し、２次元映像信号であれば、コンテンツ選択部１２３に対してそのＥＩＴのサービスＩＤを通知する。
【００２８】
自トランスポートストリーム内にコンテンツ内容特定情報が発見できない場合は、他トランスポートストリームにおいて現在放送中の番組のＥＩＴの短形式イベント記述子を抽出した中から検索する。さらに発見できない場合、または他トランスポートストリームのＥＩＴが存在しない場合は、チューナー部１１０で異なるネットワークのチャンネルを一旦選択してトランスポートストリームを切り換えて、現在放送中の番組のＥＩＴの短形式イベント記述子を抽出した中から検索する。同様にこのトランスポートストリーム内にコンテンツ内容特定情報が発見できない場合は、他トランスポートストリームにおいて現在放送中の番組のＥＩＴの短形式イベント記述子を抽出した中から検索するというように、各チャンネルを順次検索する。また、図示はしていないが、コンテンツ情報検索用に別のチューナー部、復調部、多重分離部、パケット解析部、デコーダ部を備えて、こちらから取得するようにしてもよい。また、コンテンツ情報取得部１２１と同様にあらかじめパケット解析部１１７で抽出したコンテンツ情報群をコンテンツ情報蓄積部１１８に蓄積しておき、コンテンツ情報蓄積部１１８内から検索するようにしてもよい。
【００２９】
次にコンテンツ情報検索部１２２が、シリアルＩ／Ｆ部１３０を使用して検索を行う場合について説明する。コンテンツ情報検索部１２２は、入力されたコンテンツ内容特定情報と同じ情報をシリアルＩ／Ｆ部１３０を介して接続された外部ストレージメディアに存在するコンテンツ群のコンテンツの内容を特定するための情報や映像フォーマット、３次元立体映像方式などをデータベース化したコンテンツ情報群を検索する。コンテンツ内容特定情報が一致する情報または類似する情報をもつコンテンツが発見されれば、そのコンテンツ情報から取得した映像フォーマットの水平解像度、垂直解像度、フレームレート、走査方式と現在選択しているコンテンツの水平解像度、垂直解像度、フレームレート、走査方式とを比較して、一致する、もしくは高いかどうかを判定する。一致、もしくは高いと判定されれば、そのコンテンツ情報から３次元立体映像方式を取得し、２次元映像信号であれば、そのコンテンツの所在を示す情報を取得し、コンテンツ選択部１２３に対してその情報を通知する。データベース化したコンテンツ情報群がない場合は、一旦、コンテンツ選択部１２３が外部ストレージメディア内のすべてのコンテンツを順に選択し、ストリーム切換部１１２をシリアルＩ／Ｆ部１３０側に切り換えてトランスポートストリームのＥＩＴを検索したり、外部ストレージメディア内に保存されているコンテンツがトランスポートストリームでなければ信号判別部１２０から水平解像度、垂直解像度、フレームレート、走査方式、３次元立体映像方式を取得するようにしてもよい。図示はしていないが、コンテンツ情報群取得用に別の多重分離部、パケット解析部、デコーダ部を備えて、こちらから取得するようにしてもよいし、視聴者が映像表示装置１００を使用していない間にあらかじめ外部ストレージメディアのすべてのコンテンツの情報をデータベース化し、コンテンツ情報蓄積部１１８に蓄積しておき、コンテンツ情報蓄積部１１８内から検索するようにしてもよい。
【００３０】
次にコンテンツ情報検索部１２２が、ビデオＩ／Ｆ部１３１を使用して検索を行う場合について説明する。コンテンツ情報検索部１２２は、ビデオＩ／Ｆ部１３１を介して接続された外部映像再生装置１０１に対して、コンテンツ内容特定情報と現在選択しているコンテンツの水平解像度、垂直解像度、フレームレート、走査方式と、表示部１１６が２次元映像表示のみ可能という情報を入力する。入力したコンテンツ内容特定情報と一致する情報または類似する情報をもち、水平解像度、垂直解像度、フレームレート、走査方式が一致、もしくは高い２次元映像のコンテンツを検索する要求をだす。該当のコンテンツが発見されれば、コンテンツ選択部１２３に対してその情報を通知する。
【００３１】
次に、コンテンツ情報検索部１２２が、ネットワークＩ／Ｆ部１３２を使用して検索を行う場合について説明する。コンテンツ情報検索部１２２は、入力されたコンテンツ内容特定情報と同じ情報をネットワークＩ／Ｆ部１３２を介して接続されたインターネットやローカルネットワーク上のサーバに存在するコンテンツ群のコンテンツの内容を特定するための情報や映像フォーマット、３次元立体映像方式などをデータベース化したコンテンツ情報群を検索する。一致する情報または類似する情報をもつコンテンツが発見されれば、そのコンテンツ情報から取得した映像フォーマットの水平解像度、垂直解像度、フレームレート、走査方式と現在選択しているコンテンツの水平解像度、垂直解像度、フレームレート、走査方式とを比較して一致する、もしくは高いかどうかを判定する。一致、もしくは高いと判定されればそのコンテンツ情報から３次元立体映像方式を取得し、２次元映像信号であれば、そのコンテンツの所在を示す情報を取得し、コンテンツ選択部１２３に対してその情報を通知する。ここではＶＯＤなどのユニキャストでのコンテンツ配信を想定したが、ＩＰマルチキャストでのコンテンツ配信の場合は、各チャンネルのアドレスをルータに要求し、ストリーム切換部１１２をネットワークＩ／Ｆ部１３２側に切り換えてトランスポートストリームを受信し、トランスポートストリームのＥＩＴを検索するようにしてもよい。
【００３２】
以上のコンテンツ検索をそれぞれ行えば、複数の該当するコンテンツが発見されることが想定されるため、コンテンツ情報検索部１２２は、コンテンツの所在をコンテンツ選択部１２３に対して通知する前にそれぞれでコンテンツ検索を実行し、発見されたコンテンツ群の中から表示部１１６のディスプレイパネルの解像度と同じコンテンツを優先して、そのコンテンツの所在をコンテンツ選択部１２３に対して通知するようにしてもよい。表示部１１６のディスプレイパネルの解像度と同じコンテンツがなければ、より高い解像度のコンテンツを優先する。
【００３３】
コンテンツ選択部１２３は、通知されたコンテンツの所在が放送波であれば、チューナー部１１０に選局させ、ストリーム切換部１１２をチューナー部１１０からの出力側に切り換えさせて、多重分離部１１３からＰＡＴを取得し、通知されたサービスＩＤと一致するＰＭＴからＰＩＤを取得し、そのＰＩＤに基づき多重分離部１１３を制御し、入力切換部１１５をデコーダ部１１４からの出力側に切り換える。通知されたコンテンツの所在が外部ストレージメディアであれば、シリアルＩ／Ｆ部１３０を制御し、ストリーム切換部１１２をシリアルＩ／Ｆ部１３０からの出力側に切り換えてＰＩＤに基づき多重分離部１１３を制御し、入力切換部１１５をデコーダ部１１４からの出力側に切り換える。そして、コンテンツがトランスポートストリームでなければ多重分離部１１３はそのまま出力するように制御する。通知されたコンテンツの所在が外部映像再生装置であれば、ビデオＩ／Ｆ部１３１を介して外部映像再生装置に対して該当のコンテンツの再生要求を行い、入力切換部１１５をビデオＩ／Ｆ部１３１からの出力側に切り換える。通知されたコンテンツの所在がインターネットまたはローカルネットワーク上のサーバであれば、ネットワークＩ／Ｆ部１３２を制御し、ストリーム切換部１１２をネットワークＩ／Ｆ部１３２からの出力側に切り換えてＰＩＤに基づき多重分離部１１３を制御し、入力切換部１１５をデコーダ部１１４からの出力側に切り換える。そして、コンテンツがトランスポートストリームでなければ多重分離部１１３はそのまま出力するように制御する。また、インターネット上のコンテンツの場合は、課金の有無をＯＳＤで表示してから、視聴者が明示的に選択するようにしてもよい。
【００３４】
表示部１１６は、入力切換部１１５から入力された映像信号がインタレース信号であった場合のＩ／Ｐ変換やディスプレイの解像度にあわせたフォーマット変換を行い、ディスプレイに表示を行う。
【００３５】
以上説明したように、本発明によれば、視聴者が選択したコンテンツの解像度が低くても画質の劣化を抑えて表示部１１６のディスプレイの解像度にあわせた映像を表示することができる。表示部１１６のディスプレイパネルの解像度が１９２０×１０８０画素の場合であれば、日本のデジタル放送では現在のところ１９２０×１０８０画素、フレームレート６０Ｈｚ、走査方式インタレースのサイドバイサイド  ハーフ方式に限定した運用になっているため、同じ解像度の２次元映像のコンテンツが発見されれば、表示部１１６において左目用または右目用の９６０×１０８０画素もしくは７２０×１０８０画素の映像を水平方向に２倍することなく、１９２０×１０８０画素の２次元映像を水平方向に等倍のままもしくは１４４０×１０８０画素の２次元映像を１．３３倍するだけで表示することができる。
【００３６】
上記では放送波のコンテンツを視聴者が選択した場合について説明してきたが、外部ストレージメディア内のコンテンツや外部映像再生装置１０１内のコンテンツ、ネットワーク上のサーバ内のコンテンツを選択した場合も同様に、相互に水平解像度、垂直解像度、フレームレート、走査方式と３次元立体映像方式の異なるコンテンツの所在を検索することで同様の効果が得られる。さらにＥＩＴの運用については日本のＡＲＩＢの番組配列情報の規定に基づき説明したが、コンテンツの情報がパケットから取得できれば同様の効果が得られ、規格に限定されるものではない。
【００３７】
また、映像表示装置１００が２次元映像のみ表示可能な場合について説明したが、高解像度の３次元立体映像が表示可能な場合は左目用、右目用の映像の解像度が高いフレームパッキング方式、フレームオルタナティブ方式、ラインオルタナティブ方式、サイドバイサイド方式やＭＰＥＧ４  ＭＶＣのコンテンツを検索し、選択することで３次元立体映像についても同様の効果が得られる。
【産業上の利用可能性】
【００３８】
本発明は、同じ内容のコンテンツが複数の異なる映像フォーマットで提供される場合に利用できる。特に２次元映像のみ表示可能な映像表示装置に好適である。
【符号の説明】
【００３９】
１００    映像表示装置
１０１    外部映像再生装置
１１０    チューナー部
１１１    復調部
１１２    ストリーム切換部
１１３    多重分離部
１１４    デコーダ部
１１５    入力切換部
１１６    表示部
１１７    パケット解析部
１１８    コンテンツ情報蓄積部
１２０    信号判別部
１２１    コンテンツ情報取得部
１２２    コンテンツ情報検索部
１２３    コンテンツ選択部
１３０    シリアルＩ／Ｆ部
１３１    ビデオＩ／Ｆ部
１３２    ネットワークＩ／Ｆ部
【図１】
2013026653.tif 000003
【図２】
2013026653.tif 000004